(57)【要約】【課題】  非接触型ＩＣカードを処理するカード処理ユニットを簡単な構成で実現する。【解決手段】  カード処理ユニットの本体に設けられた上部開口のポケット部に非接触型ＩＣカードを挿入し、その挿入された非接触型ＩＣカードに記録されているカードデータを読取るとともに、必要に応じてその非接触型ＩＣカードに所定の新たなデータを書込むためのカード処理ユニットであって、前記ポケット部の上部開口の長さは、前記非接触型ＩＣカードの短辺の長さよりも少し大きく、かつ、プリペイドカード等の磁気券の短辺よりも小さく形成されている。【選択図】      図２
2005339449.tif 000002
【特許請求の範囲】
【請求項１】
カード処理ユニットの本体に設けられた上部開口のポケット部に非接触型ＩＣカードを挿入し、その挿入された非接触型ＩＣカードに記録されているカードデータを読取るとともに、必要に応じてその非接触型ＩＣカードに所定の新たなデータを書込むためのカード処理ユニットであって、
前記ポケット部の上部開口の長さは、前記非接触型ＩＣカードの短辺の長さよりも少し大きく、かつ、プリペイドカード等の磁気券の短辺よりも小さく形成されていることを特徴とするカード処理ユニット。
【請求項２】
請求項１に記載のカード処理ユニットにおいて、ポケット部の上部は、非接触型ＩＣカードがそのポケット部に挿入されたときに、少なくともその非接触型ＩＣカードの一部がそのポケット部から露出できるように構成されているとともに、そのポケット部の上部には、そのポケット部に挿入された非接触型ＩＣカードの取出しを阻止するソレノイドで駆動されるストッパを設けたことを特徴とするカード処理ユニット。
【請求項３】
請求項２に記載のカード処理ユニットにおいて、ストッパは、ポケット部内に出入する上部片と、その上部片の一端側から下方に伸びるように設けられ、回転自在に軸支された垂直片と、その垂直片の下端側に連なりソレノイドに連結された下部片とからなり、これら各片は一体構造物からなることを特徴とするカード処理ユニット。
【請求項４】
請求項１〜３のいずれかに記載のカード処理ユニットにおいて、ポケット部を形成する正面側の壁面は、磁界の通過を阻止するシールド材で構成され、又は、その正面側の壁面に磁界の通過を阻止するシールド材からなるシールが貼設されていることを特徴とするカード処理ユニット。
【請求項５】
請求項１〜４のいずれかに記載のカード処理ユニットにおいて、ポケット部の底部には、そのポケット部に５００円硬貨が挿入されたときに外部へ排出できる大きさの開口が設けられていることを特徴とするカード処理ユニット。
【請求項６】
請求項２〜５のいずれかに記載のカード処理ユニットにおいて、ポケット部に非接触型ＩＣカードが挿入されたことが検出されてから所定のカード処理が終了するまで、ストッパか非接触型ＩＣカードの抜取りを阻止するものであることを特徴とするカード処理ユニット。
【請求項７】
請求項１〜６のいずれかに記載のカード処理ユニットにおいて、カード処理ユニットの本体には、所定の情報を入力するための入力手段が設けられていることを特徴とするカード処理ユニット。
【請求項８】
請求項１〜７のいずれかに記載のカード処理ユニットにおいて、カード処理ユニットの本体は、自動券売機の本体や自動精算機の本体等の所定の駅務機器の本体に着脱自在に取付けられるものであることを特徴とするカード処理ユニット。
【発明の詳細な説明】
【技術分野】
【０００１】
本発明は、非接触型ＩＣカードに記録されているカードデータを読取るとともに、必要に応じてその非接触型ＩＣカードに所定の新たなデータを書込むためのカード処理ユニットに係り、特に、自動券売機や自動精算機等の駅務機器に好適なものに関する。
【背景技術】
【０００２】
近年、駅の自動改札システムは、利用者（旅客）の利便向上を図るために、定期券やＳＦカード（ストアードフェアカード）を無線通信機能を備えたＩＣカード、いわゆる非接触型ＩＣカードとし、自動改札機の本体に設けられているアンテナにその非接触型ＩＣカードをかざして、又はそのアンテナに軽くタッチして入場又は出場できるようになってきている。
【０００３】
したがって、自動改札機が非接触型になれば、当然に自動券売機や自動精算機等の他の駅務機器も非接触型とされ（特許文献１参照）、また、そのための非接触型ＩＣカードを処理するためのカード処理ユニットも提案されている（特許文献２参照）。
【特許文献１】特開２００３−１９６６８７号公報
【特許文献２】特開２００３−１６４８２号公報
【発明の開示】
【発明が解決しようとする課題】
【０００４】
しかしながら、駅に既に設置されている自動券売機等の駅務機器は、従来の磁気券専用型であるので、これを非接触型ＩＣカードも処理できる兼用型にするためには、駅務機器の本体そのものを交換する必要があり、膨大な設備費用がかさむので、非接触型ＩＣカードも処理できる兼用型又は非接触型ＩＣカード専用の駅務機器を最少限増設するようにしている。このため、非接触型ＩＣカードを処理できる機器数が少なく、接客サービスが低下するおそれがあった。
【０００５】
また、従来の非接触型ＩＣカードを処理するためのカード処理ユニットは、構造が複雑でコストが高く、さらに既設の駅務機器の本体に簡単に取付けることができないという欠点があった。
【０００６】
そこで、本発明は、上記欠点を解決するためになされたものであって、その目的は、既設の自動券売機等の駅務機器に簡単に取付けることができ、しかも構造が簡単で、かつ、利用者の使い勝手に優れたカード処理ユニットを提供することにある。
【課題を解決するための手段】
【０００７】
本発明に係るカード処理ユニットは、上記目的を達成するために、請求項１に記載の発明は、カード処理ユニットの本体に設けられた上部開口のポケット部に非接触型ＩＣカードを挿入し、その挿入された非接触型ＩＣカードに記録されているカードデータを読取るとともに、必要に応じてその非接触型ＩＣカードに所定の新たなデータを書込むためのカード処理ユニットであって、前記ポケット部の上部開口の長さは、前記非接触型ＩＣカードの短辺の長さよりも少し大きく、かつ、プリペイドカード等の磁気券の短辺よりも小さく形成されていることを特徴としている。
本発明の請求項２に記載のカード処理ユニットは、ポケット部の上部は、非接触型ＩＣカードがそのポケット部に挿入されたときに、少なくともその非接触型ＩＣカードの一部がそのポケット部から露出できるように構成されているとともに、そのポケット部の上部には、そのポケット部に挿入された非接触型ＩＣカードの取出しを阻止するソレノイドで駆動されるストッパを設けたことを特徴としている。
本発明の請求項３に記載のカード処理ユニットは、ストッパは、ポケット部内に出入する上部片と、その上部片の一端側から下方に伸びるように設けられ、回転自在に軸支された垂直片と、その垂直片の下端側に連なりソレノイドに連結された下部片とからなり、これら各片は一体構造物からなることを特徴としている。
本発明の請求項４に記載のカード処理ユニットは、ポケット部を形成する正面側の壁面は、磁界の通過を阻止するシールド材で構成され、又は、その正面側の壁面に磁界の通過を阻止するシールド材からなるシールが貼設されていることを特徴としている。
本発明の請求項５に記載のカード処理ユニットは、ポケット部の底部には、そのポケット部に５００円硬貨が挿入されたときに外部へ排出できる大きさの開口が設けられていることを特徴としている。
本発明の請求項６に記載のカード処理ユニットは、ポケット部に非接触型ＩＣカードが挿入されたことが検出されてから所定のカード処理が終了するまで、ストッパか非接触型ＩＣカードの抜取りを阻止するものであることを特徴としている。
本発明の請求項７に記載のカード処理ユニットは、カード処理ユニットの本体には、所定の情報を入力するための入力手段が設けられていることを特徴としている。
本発明の請求項８に記載のカード処理ユニットは、カード処理ユニットの本体は、自動券売機の本体や自動精算機の本体等の所定の駅務機器の本体に着脱自在に取付けられるものであることを特徴としている。
【発明の効果】
【０００８】
本発明の請求項１に記載のカード処理ユニットは、ポケット部の上部開口の長さが非接触型ＩＣカードの短辺の長さよりも少し大きく、かつ、プリペイドカード等の磁気券の短辺よりも小さく形成されているので、ポケット部に使用済みの磁気券が挿入されるのを未然に防止することができる。
本発明の請求項２に記載のカード処理ユニットは、ポケット部の上部は、非接触型ＩＣカードがそのポケット部に挿入されたときに、少なくともその非接触型ＩＣカードの一部がそのポケット部から露出できるように構成されているとともに、そのポケット部の上部には、そのポケット部に挿入された非接触型ＩＣカードの取出しを阻止するソレノイドで駆動されるストッパを設けたので、利用者は、ポケット部から非接触型ＩＣカードを簡単に取出すことができるとともに、ストッパが働いているときは、ポケット部からの非接触型ＩＣカードの取出しが禁止されるので、非接触型ＩＣカードのデータ処理を安定して行うことができる。
本発明の請求項３に記載のカード処理ユニットは、ストッパは、ポケット部内に出入する上部片と、その上部片の一端側から下方に伸びるように設けられ、回転自在に軸支された垂直片と、その垂直片の下端側に連なりソレノイドに連結された下部片とからなり、これら各片は一体構造物からなるので、非接触型ＩＣカードの取出しを確実に阻止できるストッパ機構を簡単に実現することができる。
本発明の請求項４に記載のカード処理ユニットは、ポケット部を形成する正面側の壁面は、磁界の通過を阻止するシールド材で構成され、又は、その正面側の壁面に磁界の通過を阻止するシールド材からなるシールが貼設されているので、ポケット部の外側に位置する非接触型ＩＣカードに対するデータの読取り及び書込みを確実に防止することができる。
本発明の請求項５に記載のカード処理ユニットは、ポケット部の底部に、そのポケット部に５００円硬貨が挿入されたときに外部へ排出できる大きさの開口が設けられているので、利用者が誤ってポケット部に硬貨を投入しても簡単に排出することができる。
本発明の請求項６に記載のカード処理ユニットは、ポケット部に非接触型ＩＣカードが挿入されたことが検出されてから所定のカード処理が終了するまで、ストッパが非接触型ＩＣカードの抜取りを阻止するものであるので、データの読取りや書込み等の処理を安定して行うことができる。
本発明の請求項７に記載のカード処理ユニットは、カード処理ユニットの本体に、所定の情報を入力するための入力手段が設けられているので、入力手段を介して金額積増等の情報を簡単に入力することができる。
本発明の請求項８に記載のカード処理ユニットは、カード処理ユニットの本体が自動券売機の本体や自動精算機の本体等の所定の駅務機器の本体に着脱自在に取付けられるので、既設の磁気券専用型の自動券売機の本体等に取付けて簡単に兼用型とすることができる。
【発明を実施するための最良の形態】
【０００９】
以下、本発明を実施するための最良の形態を図面に基づいて説明する。図１（ａ），（ｂ）は、本発明に係るカード処理ユニットの本体（以下、「ユニット本体」という。）１０を組込んだ自動券売機の本体（以下、「券売機本体」という。）ａを示していて、同図（ａ）は、その正面図、同図（ｂ）は、その右側面図である。
【００１０】
上記券売機本体ａは、周知の自動券売機と同様に構成されていて、タッチパネルからなる表示画面１に表示されている口座釦群の中から所定の口座釦が押下（タッチ）され、かつ、その押下された口座釦に対応した乗車券の購入代金を満たす金額の金銭が硬貨投入口２又は紙幣投入口３から投入され、あるいはカード挿入口４から挿入された磁気券からなるプリペイドカードあるいはＳＦカードの残額が満たしていると、発券口５から所定の乗車券が発券されるように構成されている。
【００１１】
上記ユニット本体１０は、その全体的形状は箱形を呈し、券売機本体ａの接客面の硬貨投入口２の下方に設けられていて、このユニット本体１０の拡大正面図は図２に示され、また、図３には、図２の右側面図が示され、さらに、図４には図２のＡ−Ａ線断面図、図５には図２のＢ−Ｂ線拡大断面図、そして、図６には図２の上面図が示されている。このユニット本体１０の裏面は、券売機本体ａの接客面の外形形状に対応した形状を呈していて、ユニット本体１０の裏面と券売機本体ａの表面とが整合できるように工夫されている（図３参照）。なお、券売機本体ａに対するユニット本体１０の位置決めを容易にするために、券売機本体ａに凹凸を付けるとともに、ユニット本体１０の裏面にその凹凸に対応する凹凸を設けるようにしてもよい。
【００１２】
このユニット本体１０は、ビスｂを介して券売機本体ａに着脱自在に取付けられるように構成されている。したがって、このユニット本体１０は、既設の硬貨や紙幣のみしか使用できない金銭専用型、あるいは金銭の他に上述のように磁気券からなるプリペイドカードやＳＦカードも使用できる磁気券型の券売機本体に取付けて非接触型ＩＣカード（以下、「カード」という。）Ｃも使用できる兼用型とすることができる。また、このように、ユニット本体１０を着脱自在とすることにより、清掃が容易になる特長があり、ポケット部１１内にゴミ等の異物が入ってもユニット本体１０を券売機本体ａから外して取出すことができる。
【００１３】
ユニット本体１０の正面側には、上部開口のポケット部１１が設けられていて、そのポケット部１１に上から下に向けてカードＣを挿入できるように構成されている。このポケット部１１の上部の開口の平面形状は、スリット形を呈していて、そのスリットの幅は、カードＣの厚さよりも少し大きく、そのスリットの長さ（図２のＬ参照）は、平面形状が長方形からなるカードＣの短辺の長さよりも少し大きく、かつ、図示しない磁気券からなるプリペイドカードやＳＦカード、あるいは定期券の短辺よりも小さく形成されている。したがって、このポケット１１には、カードＣ以外挿入されず、磁気券が誤って挿入されたり、あるいは、使用済みの磁気券が挿入されるのを効果的に防止することができる。また、このポケット部１１を形成する正面側の壁面１１ａは、磁界がその正面側の壁面を通過できないようなシールド材からなる図示しないシールが貼設されている。すなわち、ポケット部１１を形成する正面側の壁面１１ａには、ポケット部１１の外側に位置するカードＣと通信ができないように、シールド材からなるシールが貼設されている。もちろん、ポケット部１１の正面側の壁面１１ａをシールド材と同じ材質で構成することもできる。ポケット部１１の正面側がシールド材で覆われているので、仮に、ポケット部１１の外側にカードＣが位置していても、不用意にデータの読取りや書込みが行われるのを確実に防止することかできる。
【００１４】
このポケット部１１の深さは、カードＣの長手方向の長さよりも少し長く形成されているが、そのポケット部１１の手前側の側壁の上部一部がカードＣの上面の一部が露出できるように切欠１２が設けられているとともに、その切欠１２に対応した後側の側面に窪み１３が設けられている。したがって、利用者は、この切欠１２及び窪み１３を利用してポケット部１１内に挿入されているカードＣをそのポケット部１１から容易に取出すことが可能となる。
【００１５】
図中、１４は開口であって、ポケット部１１の底壁を貫通するように構成され、その大きさは、カードＣの通過を阻止するが５００円硬貨を十分に通過させることができるように決められている。したがって、このポケット部１１の上方に位置する硬貨投入口２から誤って硬貨が落下して来ても、また、このポケット部１１に誤って利用者が硬貨を投入したときでも、速やかに排出することができるとともに、ポケット部１１内へ異物が留まるのを効果的に防止することができる。
【００１６】
図中、１８はストッパであって、そのストッパ機構は、図２をＢ−Ｂ線拡大断面図で示した図５に示されている。すなわち、このストッパ１８は、ポケット部１１の上部で、そのポケット部１１内にカードＣが挿入されたときのそのカードＣの上側に位置し、このストッパ１８がポケット部１１内に突出（進出）しているときは、ポケット部１１内からのカードＣの取出しを効果的に阻止することができ、カードＣの移動が防止されるので安定したデータ授受を行うことができるように構成されている。
【００１７】
ストッパ１８をさらに説明すると、このストッパ１８は、ポケット部１１を形成する正面側の壁面１１ａと反対側の壁面１１ｂに設けられていた開口１１ｃからそのポケット部１１内に出入自在に設けられた上部片１８ａと、その上部片１８ａの一端側（図５において右端側）から下方に伸びるように設けられるとともに、下端部において支軸Ｊに回転自在に軸支されている垂直片１８ｂと、この垂直片１８ｂの下端部において上部片１８ａの方向と反対方向に伸びる下部片１８ｃと、この下部片１８ｃに連結されたソレノイドＳとから構成されている。そして、これら各片１８ａ，１８ｂ，１８ｃは、硬質の合成樹脂の成形品により一体構造物とされているので、複雑な形状を呈していても簡単に製造することができる特徴を有している。なお、これら各片１８ａ，１８ｂ，１８ｃは、合成樹脂の成形品でなく、アルミニウム合金等の金属の鋳造品とすることもできる。
【００１８】
上記ストッパ１８は、各片１８ａ，１８ｂ，１８ｃが一つのブロックからなるので、構造が簡単で安価に、かつ、簡単に製造できるだけでなく、支軸Ｊの位置が上部片１８ａのほぼ真下に位置しているので、外力により動きにくい特長を有している。したがって、ストッパ１８が働いているときに、すなわち、上部片１８ａが図５の二点鎖線で示されるように、ポケット部１１内に上部片１１ａが突出しているときに、そのポケット部１１からカードＣを抜き出そうとしても上部片１１ａが不用意に動くことがなく、カードＣの抜き取りを確実に阻止することができる。
【００１９】
また、このストッパ１８は、下部片１１ｃをソレノイドＳで駆動して動作させるので、小型のソレノイドＳにより上部片１８ａを移動できる特長があり、さらに、単に、開口１１ｃからピン等の棒材を突出，後退させるスライド方式のストッパ機構に比べて、変形や傷が付きにくいという特長を有している。
【００２０】
さらに、このストッパ１８は、利用者の指の入り込まない間隙のポケット部１１内に設けられているので、ストッパ１８の突出動作で利用者が怪我をするというおそれは全くない特長がある。
【００２１】
図中、１９は表示ランプであって、利用者に対してポケット部１１へのカードＣの挿入ができる旨を示し、また、そのポケット部１１からカードＣの取出しができる旨を報知できるように構成されている。
【００２２】
図中、２０は本発明の入力手段に相当する選択釦であって、ユニット本体１０の上部に設けられている。この選択釦２０は、図５に示されるように、カードＣに積増（チャージ）するときの金額である１０００円、３０００円又は５０００円を選択できるようにするとともに、その積増した金額の領収書発行の信号入力ができるように構成されている。また、これら選択釦２０の下方には、点字シール２１が貼設されていて、視覚障害の利用者であっても利用できるように配慮されている。なお、領収書発行釦が押下されたときは、券売機本体ａの発券口５から領収書が発行されるように構成されている。
【００２３】
図中、２２は係員を呼出すときに押下される呼出釦であり、また、２３は所定の処理を途中で中止したいときに押下される取消釦である。これら各釦２２，２３は、本来、券売機本体ａに設けられているものであるが、券売機本体ａにユニット本体１０を取付けたことによって隠れてしまったので、これらをユニット本体１０の上面側に移動したものである。
【００２４】
このユニット本体１０のポケット部１１内には、図示しないが、ポケット部１１内にカードＣが挿入されたことを検出するマイクロスイッチ又はホトセンサ等の周知のセンサからなるセンサが設けられているとともに、このポケット部１１の後側の壁面内部には、カードＣと交信するためのアンテナを備えたリーダライタが設けられている。なお、このリーダライタ、上述のセンサ、ストッパ１８のソレノイド、表示ランプ１９、選択釦２０、呼出釦２２及び取消釦２３は、券売機本体ａを統括的に制御するＣＰＵを中心に構成された制御器にリード線を介して接続されているが、ここでは省略されている。なお、この例では、センサを設けてポケット部１１内にカードＣが挿入されたことを検出するようにしているが、リーダライタがカードＣからの応答信号（カードデータの受信）を受信したことによりカードＣの挿入を検出するようにしてもよい。
【００２５】
上記構成からなるユニット本体１０を用いてカードＣに所定の金額を積増するときは、ポケット部１１にカードＣが挿入されると、その挿入状態が図示しないセンサで検出されてソレノイドＳがＯＮ（駆動）してストッパ１８が突出すると、カードＣのカードデータの読取りが開始される。そして、そのカードデータを基にした制御器の所定の演算処理により、金額の積増可能な正常なカードと判定されれば、硬貨投入口２又は紙幣投入口３への金銭の投入が許可される。
【００２６】
券売機本体ａに所定の金額の金銭が投入され、その投入された金額の範囲内で希望する積増金額が選択釦２０で指定されると、その指定された金額がカードＣに書込まれて積増が終了となり、その旨が表示ランプ１９により報知されるとともに、ソレノイドＳがＯＦＦとなってストッパ１８が後退してカードＣの取出しが可能となる。上述のように、ポケット部１１に挿入されたカードＣは、カードＣのカードデータの読取り開始からそのカードＣに対する新たなカードデータの書込み終了まで、ストッパ１８により取出しが禁止されるので、カードＣに対するデータの読取り及び書込みを安定して行うことができる。また、このデータの読取り及び書込みに際しては、シールド材によってポケット部１１外に電波が漏れないので、ポケット部１１外のカードを処理してしまうという不都合を完全に防止することができる。
【００２７】
また、カードＣに記憶されているＳＦデータ（金額データ）を用いて券売機本体ａから乗車券の発券を受けるときは、カードＣがポケット部１１内に挿入され、その挿入されたカードＣはストッパ１８で取出が禁止される。そして、そのカードＣから乗車券の発券に伴う金額の減額処理が終了すると、ストッパ１８が後退してポケット部１１内からのカードＣの取出しが可能となる。
【００２８】
なお、上述の例では、ユニット本体１０の取付けられる駅務機器の本体は券売機本体ａとしたが、自動精算機の本体や自動定期券発売機等の他の機器の本体とすることも可能である。また、上述の例では、既設の機器にユニット本体１０を取付ける例を示したが、新たに自動券売機等の駅務機器を製造する場合に最初からユニット本体１０を組込んでおくことも可能である。さらに、ポケット部１１内にカードＣが挿入されたことをセンサで検出してソレノイドＳを駆動制御したが、ポケット部１１内にカードＣが挿入されてアンテナを介して交信が開始されたことを検出してソレノイドＳの駆動制御、すなわち、ストッパ１８の制御を行うようにしてもよい。したがって、本発明における「カードが挿入されたことが検出されてから」は、このようなカードＣの交信に基づくものも含まれている。
【図面の簡単な説明】
【００２９】
【図１】（ａ）は、本発明に係るユニット本体を取付けた券売機本体の正面図、（ｂ）は、その右側面図である。
【図２】ユニット本体の正面図である。
【図３】ユニット本体の右側面図である。
【図４】図２のＡ−Ａ線断面図である。
【図５】図２のＢ−Ｂ線拡大断面図である。
【図６】ユニット本体の上面図の一部である。
【符号の説明】
【００３０】
ａ  券売機本体
ｂ  ビス
１  表示画面
２  硬貨投入口
３  紙幣投入口
４  カード挿入口
５  発券口
１０  ユニット本体
１１  ポケット部
１２  切欠
１３  窪み
１４  開口
１８  ストッパ
１８ａ  上部片
１８ｂ  垂直片
１８ｃ  下部片
Ｊ  支軸
１９  表示ランプ
２０  選択釦
Ｓ  ソレノイド
【図１】
2005339449.tif 000003
【図２】
2005339449.tif 000004
【図３】
2005339449.tif 000005
【図４】
2005339449.tif 000006
【図５】
2005339449.tif 000007
【図６】
2005339449.tif 000008